(57)【要約】      （修正有）【課題】旅行かばんのプルハンドルを提供する。【解決手段】旅行かばんのプルハンドル１は制御機構の格納に用いられる。制御機構は押しボタン３を有する。プルハンドル１は本体１０および密封キャップ２０から構成される。本体１０は横方向管１１と、横方向管１１の両端から下へ伸びて横方向管１１と一体になる二つの縦方向管１３と、横方向管１１に形成された中空部１５とを有する。密封キャップ２０は中空部１５の少なくとも一部分に被さるように本体１０に装着される。密封キャップ２０と横方向管１１とはグリップ３０を構成する。グリップ３０は位置が制御機構の押しボタン３に対応する穿孔３１を有する。上述した構成により、プルハンドルは構造が堅固で損壊しにくいだけでなく、使用寿命を延ばし、製造際の組み立て作業を減らすことができる。【選択図】図１
0003202289.tif 000002
【実用新案登録請求の範囲】
【請求項１】
押しボタンを有する制御機構の格納に用いられる旅行かばんのプルハンドルであって、
本体および密封キャップから構成され、
前記本体は、横方向管と、前記横方向管の両端から下へ伸びて前記横方向管と一体になる二つの縦方向管と、前記横方向管に形成された中空部とを有し、
前記密封キャップは、前記中空部の少なくとも一部分に被さるように前記本体に装着され、
前記密封キャップと前記横方向管とはグリップを構成し、前記グリップは位置が前記制御機構の前記押しボタンに対応する穿孔を有することを特徴とする旅行かばんのプルハンドル。
【請求項２】
前記中空部は、前記横方向管から二つの前記縦方向管に伸びることを特徴とする請求項１に記載の旅行かばんのプルハンドル。
【請求項３】
前記中空部は、前記横方向管の下側かつ二つの前記縦方向管の内側に位置付けられることを特徴とする請求項２に記載の旅行かばんのプルハンドル。
【請求項４】
前記中空部は、前記横方向管の上側かつ二つの前記縦方向管の外側に位置付けられることを特徴とする請求項２に記載の旅行かばんのプルハンドル。
【請求項５】
前記穿孔は、前記本体の前記横方向管に位置することを特徴とする請求項１に記載の旅行かばんのプルハンドル。
【請求項６】
前記穿孔は、前記密封キャップに位置することを特徴とする請求項１に記載の旅行かばんのプルハンドル。
【請求項７】
前記穿孔は、前記本体の前記中空部のうちの前記密封キャップに遮蔽されない部位に形成されることを特徴とする請求項１に記載の旅行かばんのプルハンドル。
【請求項８】
前記本体は、アルミニウム、アルミニウム合金またはステンレス鋼から製作されることを特徴とする請求項１に記載の旅行かばんのプルハンドル。
【考案の詳細な説明】
【技術分野】
【０００１】
本考案は、プルハンドル、特に旅行かばんのプルハンドルに関するものである。
【背景技術】
【０００２】
一般の旅行かばんのプルハンドルは、グリップと、グリップの両端に装着された二つの直管部とから構成され、押しボタンを有する。ユーザーは押しボタンによってプルハンドルを旅行かばんから伸ばしたり、プルハンドルを旅行かばんに収めたりすることができる。しかしながら、グリップと二つの直管部との連結状態はあまり安定しないため、長期にわたる使用によりグリップと二つの直管部とを分離させてしまう可能性がある。一方、空港において旅行かばんを搬送する際、作業員の扱いがあまりにも乱暴であるか、搬送途中で旅行かばんが相互に衝突するか、プルハンドルが旅行かばん全体の重さに耐えられないなどの状況があれば、プルハンドルの解体または損壊を招く可能性がある。
【考案の概要】
【考案が解決しようとする課題】
【０００３】
本考案は、上述した欠点に鑑み、構造が堅固で壊れにくいだけでなく、製造際の組み立て作業を減らすことが可能な旅行かばんのプルハンドルを提供することを主な目的とする。
【課題を解決するための手段】
【０００４】
上述した課題を解決するため、旅行かばんのプルハンドルは制御機構の格納に用いられる。制御機構は押しボタンを有する。旅行かばんのプルハンドルは本体および密封キャップから構成される。本体は横方向管と、横方向管の両端から下へ伸びて横方向管と一体になる二つの縦方向管と、横方向管に形成された中空部とを有する。密封キャップは中空部の少なくとも一部分に被さるように本体に装着される。密封キャップと横方向管とはグリップを構成する。グリップは位置が制御機構の押しボタンに対応する穿孔を有する。
【０００５】
プルハンドルは本体が一体成型されるため、組み立てる必要がなく、製造が簡単である。プルハンドルは構造が堅固であるため、損壊しにくいだけでなく、旅行かばんの使用寿命を延ばすことができる。
【図面の簡単な説明】
【０００６】
【図１】本考案の第1実施形態による旅行かばんのプルハンドルを示す斜視図である。
【図２】本考案の第1実施形態による旅行かばんのプルハンドルを示す分解斜視図である。
【図３】本考案の第1実施形態による旅行かばんのプルハンドルを示す別の分解斜視図である。
【図４】本考案の第２実施形態による旅行かばんのプルハンドルを示す分解斜視図である。
【図５】本考案の第３実施形態による旅行かばんのプルハンドルを示す分解斜視図である。
【考案を実施するための形態】
【０００７】
（第1実施形態）
図１から図３に示すように、本考案の第1実施形態による旅行かばんのプルハンドル１は、制御機構２の格納に用いられる。制御機構２は押しボタン３、台座４、二つの桿状連結部５および圧縮スプリング６を有する。台座４は押しボタン３の底部に配置される。二つの桿状連結部５は台座４の両端から下へ伸びて形成される。圧縮スプリング６は台座４の下方に配置される。プルハンドル１は本体１０および密封キャップ２０から構成される。
【０００８】
本体１０は、横方向管１１、二つの縦方向管１３および中空部１５を有する。二つの縦方向管１３は横方向管１１の両端から下へ伸びて横方向管１１と一体になる。中空部１５は横方向管１１の下側に位置し、横方向管１１の両側辺部かつ二つの縦方向管１３の内側まで伸びる。本体１０の材料はアルミニウム、アルミニウム合金またはステンレス鋼などであるが、これに限らない。横方向管１１は制御機構２の台座４および圧縮スプリング６の格納に用いられる。二つの縦方向管１３は二つの桿状連結部５の格納に用いられ、かつ下方の二つのスリーブ管（図中未表示）と結合することによって伸縮パイプを構成する。二つの桿状連結部５は末端部が施錠機構（図中未表示）に連結される。上述した構造により、押しボタン３を押せば施錠機構によって伸縮パイプを施錠または解錠することができる。伸縮パイプが施錠された場合、二つの縦方向管１３は二つのスリーブ管に相対して移動することができない。伸縮パイプが解錠された場合、二つの縦方向管１３は二つのスリーブ管に相対して移動することができる。つまり、伸縮パイプは伸縮できる。
【０００９】
密封キャップ２０は、中空部１５の少なくとも一部分に被さるように本体１０に装着される。密封キャップ２０と本体１０の横方向管１１とはグリップ３０を構成する。グリップ３０は位置が制御機構２の押しボタン３に対応する穿孔３１を有する。本実施形態において、密封キャップ２０は中空部１５に完全に被さる。穿孔３１は本体１０の横方向管１１の頂部に位置付けられる。押しボタン３は穿孔３１に突出する。圧縮スプリング６は密封キャップ２０と台座４との間に装着されることで台座４を上向きに偏倚させる圧力を生じるため、外力を受ける前の押しボタン３は穿孔３１に突出する。
【００１０】
本体１０と密封キャップ２０とはねじおよびボルトなどの締付ユニットまたは別の接続方式によって結合する。プルハンドル１は本体１０が一体成型されるため、別に組み立てる必要なく、プルハンドル１の組み立て作業を減らすことができる。プルハンドル１は構造が堅固であるため、従来の構造よりも損壊しにくいだけでなく、旅行かばんの使用寿命を延ばすことができる。アルミニウムのプレス加工によって本体１０を成形する際、まず直線状パイプを製作し、そののちパイプの一部分の管壁を切り取り、中空部１５を形成する。中空部１５によって本体１０を簡単に折り曲げ、成形し、かつ制御機構２を本体１０の中に格納することができる。
【００１１】
（第2実施形態および第3実施形態）
別の実施形態は、中空部１５を本体１０の二つの縦方向管１３へ伸ばさず、横方向管１１のみに配置するか、本体１０の別の部位に中空部１５を配置することができる。図４に示すように、本考案の第２実施形態によるプルハンドル１'において、中空部１５は横方向管１１の上側に配置され、かつ二つの縦方向管１３の外側まで伸びる。密封キャップ２０は中空部１５に被さるように本体１０に装着される。穿孔３１は密封キャップ２０に形成される。それに対し、図５に示すように、本考案の第３実施形態によるプルハンドル１"において、密封キャップ２０は二つの蓋２０'が合わさることによって構成される。穿孔３１は本体１０の中空部１５上の密封キャップ２０に遮蔽されない部位、即ち二つの蓋２０'の境目に位置付けられる。制御機構２の押しボタン３は穿孔３１に突出する。押しボタン３は上述に限らず、ニーズに応じて穿孔３１に突出しないように設計されてもよい。
【００１２】
一方、本考案の精神に基づいて、中空部１５は本体１０の横方向管１１の上側、下側または別の位置に配置されてもよい。密封キャップ２０は中空部１５の全体または一部分に被さるように設計されてもよい。穿孔３１は横方向管１１または密封キャップ２０に配置されてもよい。本体１０の横方向管１１および縦方向管１３は一体成型であるため、プルハンドルの構造強度を高め、使用寿命を延ばすことができる。
【００１３】
以上、本考案は、上記実施形態になんら限定されるものではなく、考案の趣旨を逸脱しない範囲において種々の形態で実施可能である。
【符号の説明】
【００１４】
１、１'、１"：プルハンドル、  １０：本体、  １１：横方向管、  １３：縦方向管、  １５：中空部、  ２：制御機構、  ２０：密封キャップ、  ２０'：蓋、  ３：押しボタン、  ３０：グリップ、  ３１：穿孔、  ４：台座、  ５：桿状連結部、  ６：圧縮スプリング
【図１】
0003202289.tif 000003
【図２】
0003202289.tif 000004
【図３】
0003202289.tif 000005
【図４】
0003202289.tif 000006
【図５】
0003202289.tif 000007